(57)【要約】【課題】画像形成装置の機構部を移動させることなく、媒体の有無の検出を行うことが可能な画像形成装置を提供する。【解決手段】この画像形成装置１００は、媒体Ｐが載置される第１トレイ１１と、印刷部５ａを有するキャリッジ５と、制御部１とを備える。また、発光部３ａがキャリッジ５に配置されているとともに、第１有無受光部３ｂが第１トレイ１１に配置されている。そして、発光部３ａの照射方向（矢印Ｃ１方向）は、載置面１１ａに対してキャリッジ５の移動方向に傾斜している。【選択図】図３
2018176481.tif 000002
【特許請求の範囲】
【請求項１】
媒体を載置する媒体載置部と、
前記媒体に印刷する印刷部を有するキャリッジと、
発光部または受光部の一方が前記媒体載置部に配置され、前記発光部または受光部の他方が前記キャリッジに配置される媒体有無検出部と、を備え、
前記発光部の照射方向は、前記媒体載置部の載置面に対して前記キャリッジの移動方向に傾斜している、画像形成装置。
【請求項２】
前記媒体有無検出部は、前記キャリッジが原点位置に位置する状態で、前記媒体の有無を検出する、請求項１に記載の画像形成装置。
【請求項３】
前記原点位置は、前記媒体載置部よりも前記キャリッジの移動方向の一方側に位置する、請求項２に記載の画像形成装置。
【請求項４】
前記発光部および前記受光部を含み、前記媒体載置部に載置された前記媒体の幅を検出する媒体幅検出部をさらに備える、請求項１〜３のいずれか１項に記載の画像形成装置。
【請求項５】
前記媒体載置部は、前記媒体の幅に応じて前記移動方向に沿って移動可能に構成され、前記発光部および前記受光部の一方が１つ以上設けられたガイド部を含む、請求項４に記載の画像形成装置。
【請求項６】
前記媒体幅検出部は、前記発光部からの光を前記受光部が受光した時点における前記キャリッジの位置情報に基づいて、前記媒体載置部に載置された前記媒体の幅を検出する、請求項４または５に記載の画像形成装置。
【請求項７】
前記媒体幅検出部の前記発光部の照射方向は、前記移動方向に略垂直な方向であり、
前記発光部と前記受光部との間に、前記媒体幅検出部の前記発光部からの光の照射範囲を規制する光規制部が設けられている、請求項６に記載の画像形成装置。
【請求項８】
前記キャリッジは、前記媒体有無検出部により前記媒体が検出されたことに基づいて、移動を開始する、請求項４〜７のいずれか１項に記載の画像形成装置。
【請求項９】
画像情報と印刷幅指定情報を有する情報処理装置と通信する通信部と、
前記通信部を介して、前記情報処理装置から前記画像情報および前記印刷幅指定情報を受信し、前記キャリッジが原点位置に位置する状態で前記媒体の有無を示す情報を前記情報処理装置に送信する制御部とをさらに備える、請求項４〜８のいずれか１項に記載の画像形成装置。
【請求項１０】
前記制御部は、前記印刷幅指定情報と前記媒体幅検出部により検出された前記媒体の幅とが対応しない場合に、異常を報知する情報を前記情報処理装置に送信する、請求項９に記載の画像形成装置。
【請求項１１】
前記制御部は、前記印刷幅指定情報と前記媒体幅検出部により検出された前記媒体の幅とが対応する場合に、前記媒体に対する印刷を開始する、請求項９または１０に記載の画像形成装置。
【請求項１２】
前記制御部は、前記媒体幅検出部により検出された前記媒体の幅が、所定の範囲ごとに区分された複数の媒体幅群のうちのいずれの前記媒体幅群であるかを判別する、請求項９〜１１のいずれか１項に記載の画像形成装置。
【請求項１３】
前記媒体載置部は、前記移動方向において、前記媒体載置部の一方側に配置された一方側ガイド部と前記媒体載置部の他方側に配置された他方側ガイド部とを含み、
前記一方側ガイド部および前記他方側ガイド部は、それぞれ、前記移動方向に移動可能に構成されているとともに、前記一方側ガイド部および前記他方側ガイド部の一方に、前記発光部および前記受光部の他方が設けられている、請求項４〜１２のいずれか１項に記載の画像形成装置。
【請求項１４】
前記キャリッジは、前記移動方向に垂直な方向に延びるとともに、前記キャリッジと一体的に直線移動され、前記発光部および前記受光部の一方が取り付けられた取付部を含む、請求項１〜１３のいずれか１項に記載の画像形成装置。
【請求項１５】
Ｌ字状の前記媒体の搬送経路を有する第１媒体搬送部と、Ｕ字状の前記媒体の搬送経路を有する第２媒体搬送部とをさらに備え、
前記媒体載置部は、前記第１媒体搬送部に前記媒体を供給する第１媒体載置部と、前記第２媒体搬送部に前記媒体を供給する第２媒体載置部とを含み、
前記発光部は、前記キャリッジに配置されており、
前記受光部は、前記第１媒体載置部に配置されている一方側受光部と、前記第２媒体載置部に配置されている他方側受光部とを含む、請求項１〜１４のいずれか１項に記載の画像形成装置。
【発明の詳細な説明】
【技術分野】
【０００１】
この発明は、画像形成装置に関し、特に、直線移動するキャリッジを備える画像形成装置に関する。
【背景技術】
【０００２】
従来、直線移動するキャリッジを備える画像形成装置が知られている（たとえば、特許文献１参照）。
【０００３】
上記特許文献１には、インクヘッドを搭載するとともに走査方向に走査（直線移動）するインクキャリッジを備える画像形成装置が開示されている。以下、インクキャリッジの走査方向を「主走査方向」とする。このインクキャリッジには、主走査方向に垂直な方向（副走査方向）に光を照射するとともに、照射対象からの反射光を受光するフォトセンサが設けられている。また、この画像形成装置には、給紙トレイと、給紙トレイに設けられ、用紙サイズ（用紙幅）に応じて主走査方向に移動可能に構成されている用紙幅レバーとが設けられている。そして、用紙幅レバーには、第１の反射ラベルおよび第２の反射ラベルが設けられている。第１の反射ラベルは、用紙が給紙トレイに載置されていない状態ではフォトセンサからの光を反射するとともに、用紙が給紙トレイに載置された状態では用紙により光が遮断されてフォトセンサからの光を反射しない位置に配置されている。また、第２の反射ラベルは、用紙の載置に関わらず、フォトセンサからの光を反射する位置に配置されている。これにより、この画像形成装置では、インクキャリッジのフォトセンサから光を照射しながらインクキャリッジを主走査方向に移動させて、第１の反射ラベルからの反射光の検出に基づいて、用紙の有無を検出するように構成されている。また、この画像形成装置では、第２の反射ラベルからの反射光の検出に基づいて、用紙幅レバーの位置を取得して、取得した用紙幅レバーの位置から用紙の幅を取得するように構成されている。
【先行技術文献】
【特許文献】
【０００４】
【特許文献１】特許第３７５６４２５号公報
【発明の概要】
【発明が解決しようとする課題】
【０００５】
ここで、画像形成装置では、印刷を開始する前に、用紙が給紙トレイに載置されているか否かの検出（用紙の有無の検出）を行う必要がある。しかしながら、上記特許文献１の画像形成装置では、用紙の有無を検出するために、インクキャリッジを主走査方向に移動させる必要がある。このため、上記特許文献１の画像形成装置では、用紙（媒体）に印刷を開始する前に用紙（媒体）の有無を検出するために、インクキャリッジ（画像形成装置の機構部）を移動させる必要があるという問題点がある。
【０００６】
この発明は、上記のような課題を解決するためになされたものであり、この発明の１つの目的は、画像形成装置の機構部を移動させることなく、媒体の有無の検出を行うことが可能な画像形成装置を提供することである。
【課題を解決するための手段】
【０００７】
この発明の一の局面による画像形成装置は、媒体を載置する媒体載置部と、媒体に印刷する印刷部を有するキャリッジと、発光部または受光部の一方が媒体載置部に配置され、発光部または受光部の他方がキャリッジに配置される媒体有無検出部と、を備え、発光部の照射方向は、媒体載置部の載置面に対してキャリッジの移動方向に傾斜している。なお、本願明細書では、「媒体の有無」とは、媒体載置部に媒体が載置されている場合を「有」とし、媒体載置部に媒体が載置されていない場合を「無」として記載している。また、「媒体の幅」とは、媒体載置部に媒体が載置された状態のキャリッジの移動方向に沿った方向の長さを意味するものとして記載している。
【０００８】
この発明の一の局面による画像形成装置では、上記のように、発光部の照射方向を、媒体載置部の載置面に対してキャリッジの移動方向に傾斜させる。これにより、キャリッジ（画像形成装置の機構部）を移動させることなく、平面視において、キャリッジの移動方向側の受光部に光を照射して、媒体の有無を検出することができる。また、キャリッジを移動させることなく、媒体の有無を検出することができるので、キャリッジを移動させて媒体の有無を検出する場合と異なり、キャリッジを移動させる期間の分、印刷の開始を早めることができる。また、情報処理装置に媒体の有無の情報を送信する場合には、キャリッジ（画像形成装置の機構部）を移動させることなく、媒体の有無の情報を情報処理装置に送信することができる。
【０００９】
この発明の一の局面による画像形成装置において、好ましくは、媒体有無検出部は、キャリッジが原点位置に位置する状態で、媒体の有無を検出する。このように構成すれば、キャリッジが原点位置（ホームポジション）に位置する状態で、媒体の有無を検出することができるので、キャリッジを原点位置から移動させることなく、媒体の有無を検出することができる。
【００１０】
この場合、好ましくは、原点位置は、媒体載置部よりもキャリッジの移動方向の一方側に位置する。このように構成すれば、媒体載置部から原点位置に位置するキャリッジに向けて光を照射するか、または、原点位置に位置するキャリッジから媒体載置部に向けて光を照射することができるので、キャリッジを原点位置（ホームポジション）に位置する状態からキャリッジの移動方向側の他方側に移動させることなく、媒体の有無を容易に検出することができる。
【００１１】
上記一の局面による画像形成装置において、好ましくは、発光部および受光部を含み、媒体載置部に載置された媒体の幅を検出する媒体幅検出部をさらに備える。このように構成すれば、発光部および受光部により媒体の幅を検出することができる。
【００１２】
この場合、好ましくは、媒体載置部は、媒体の幅に応じて移動方向に沿って移動可能に構成され、発光部および受光部の一方が１つ以上設けられたガイド部を含む。このように構成すれば、キャリッジを原点位置から移動させれば、媒体幅検出部により、媒体載置部に載置された媒体の幅を検出することができる。すなわち、キャリッジに配置された発光部および受光部の一方（他方）を用いて、媒体の有無および媒体の幅の両方を検出することができる。
【００１３】
上記媒体幅検出部を備える画像形成装置において、好ましくは、媒体幅検出部は、発光部からの光を受光部が受光した時点におけるキャリッジの位置情報に基づいて、媒体載置部に載置された媒体の幅を検出する。このように構成すれば、受光部が受光した時点に対応するキャリッジの位置情報を取得すれば、容易に媒体の幅を検出することができる。
【００１４】
この場合、好ましくは、媒体幅検出部の発光部の照射方向は、移動方向に略垂直な方向であり、発光部と受光部との間に、媒体幅検出部の発光部からの光の照射範囲を規制する光規制部が設けられている。このように構成すれば、発光部から受光部に照射される光の照射角度が規制されるので、キャリッジの位置と受光する時点とをより正確に対応させることができる。その結果、ガイド部の位置情報をより精度良く取得することができるので、媒体の幅をより精度良く検出することができる。
【００１５】
上記媒体幅検出部を備える画像形成装置において、好ましくは、キャリッジは、媒体有無検出部により媒体が検出されたことに基づいて、移動を開始する。このように構成すれば、媒体が媒体載置部に載置されていない状態で、キャリッジが移動されるのを抑制することができるので、不要なキャリッジの移動を抑制することができる。
【００１６】
上記媒体幅検出部を備える画像形成装置において、好ましくは、画像情報と印刷幅指定情報を有する情報処理装置と通信する通信部と、通信部を介して、情報処理装置から画像情報および印刷幅指定情報を受信し、キャリッジが原点位置に位置する状態で媒体の有無を示す情報を情報処理装置に送信する制御部とをさらに備える。ここで、画像形成装置では、外部の情報処理装置から媒体の有無を示す情報を要求される場合がある。この点について、本発明では、キャリッジが原点位置に位置する状態で媒体の有無を情報処理装置に送信することができるので、キャリッジを移動させることなく、外部の情報処理装置に媒体の有無を示す情報を送信することができる。
【００１７】
この場合、好ましくは、制御部は、印刷幅指定情報と媒体幅検出部により検出された媒体の幅とが対応しない場合に、異常を報知する情報を情報処理装置に送信する。このように構成すれば、情報処理装置が異常を報知する情報をユーザに報知させるように設定すれば、印刷幅指定情報と媒体幅検出部により検出された媒体の幅とが対応していないこと（異常）を、情報処理装置を介してユーザに報知することができる。
【００１８】
上記通信部および制御部を備える画像形成装置において、好ましくは、制御部は、印刷幅指定情報と媒体幅検出部により検出された媒体の幅とが対応する場合に、媒体に対する印刷を開始する。このように構成すれば、印刷幅指定情報と媒体幅検出部により検出された媒体の幅とが対応する状態で、媒体に対して印刷することができるので、指定した媒体の幅を有する媒体に、確実に印刷することができる。
【００１９】
上記通信部および制御部を備える画像形成装置において、好ましくは、制御部は、媒体幅検出部により検出された媒体の幅が、所定の範囲ごとに区分された複数の媒体幅群のうちのいずれの媒体幅群であるかを判別する。このように構成すれば、互いに近い幅を有する複数の媒体の種類を１つの媒体幅群に設定することができるので、印刷の際の媒体の大きさの自由度を向上させることができる。すなわち、判別された媒体幅群のうちの媒体載置部に載置される媒体の種類を予め設定しておけば、媒体幅群（互いに近い幅を有する複数の媒体の種類）のうちから媒体載置部に載置された媒体の種類を適切に取得することができる。
【００２０】
上記媒体幅検出部を備える画像形成装置において、好ましくは、媒体載置部は、移動方向において、媒体載置部の一方側に配置された一方側ガイド部と媒体載置部の他方側に配置された他方側ガイド部とを含み、一方側ガイド部および他方側ガイド部は、それぞれ、移動方向に移動可能に構成されているとともに、一方側ガイド部および他方側ガイド部の一方に、発光部および受光部の他方が設けられている。このように構成すれば、媒体載置部に媒体が中央部に配置される構造（センター合わせ構造）を有する画像形成装置においても、キャリッジを移動させて媒体の幅を容易に検出することができる。
【００２１】
上記一の局面による画像形成装置において、好ましくは、キャリッジは、移動方向に垂直な方向に延びるとともに、キャリッジと一体的に直線移動され、発光部および受光部の一方が取り付けられた取付部を含む。このように構成すれば、キャリッジに発光部および受光部の一方を容易に取り付けることができる。
【００２２】
上記一の局面による画像形成装置において、好ましくは、Ｌ字状の媒体の搬送経路を有する第１媒体搬送部と、Ｕ字状の媒体の搬送経路を有する第２媒体搬送部とをさらに備え、媒体載置部は、第１媒体搬送部に媒体を供給する第１媒体載置部と、第２媒体搬送部に媒体を供給する第２媒体載置部とを含み、発光部は、キャリッジに配置されており、受光部は、第１媒体載置部に配置されている一方側受光部と、第２媒体載置部に配置されている他方側受光部とを含む。このように構成すれば、第１媒体搬送部および第２媒体搬送部が設けられている画像形成装置においても、それぞれ、媒体の有無を容易に検出することができる。
【発明の効果】
【００２３】
本発明によれば、上記のように、画像形成装置の機構部を移動させることなく、媒体の有無の検出を行うことが可能な画像形成装置を提供することができる。
【図面の簡単な説明】
【００２４】
【図１】本発明の第１実施形態による画像形成装置および情報処理装置の全体構成を示したブロック図である。
【図２】本発明の第１実施形態による画像形成装置の全体構成を示した斜視図である。
【図３】本発明の第１実施形態による画像形成装置のキャリッジの直線移動を説明するための平面図である。
【図４】図３の６００−６００線に沿った断面図である。
【図５】本発明の第１実施形態による画像形成装置の発光部の特性を説明するための図である。
【図６】本発明の第１実施形態による画像形成装置の発光部と第２有無受光部との配置関係を示す図である。
【図７】図３の７００−７００線に沿った断面図である。
【図８】本発明の第１実施形態による画像形成装置の筒状部の構成を説明するための断面図である。
【図９】本発明の第１実施形態による画像形成装置の表示部に表示される画像を説明するための図である。
【図１０】本発明の第１実施形態による画像形成装置の第１テーブルを説明するための図である。
【図１１】本発明の第１実施形態による画像形成装置の第２テーブルを説明するための図である。
【図１２】本発明の第１実施形態による情報処理装置の表示部に表示される第１例の画像を説明するための図である。
【図１３】本発明の第１実施形態による情報処理装置の表示部に表示される第２例の画像を説明するための図である。
【図１４】本発明の第１実施形態の画像形成装置の媒体の検出の制御処理を説明するためのフローチャートである。
【図１５】本発明の第１実施形態の画像形成装置および情報処理装置の媒体の印刷の制御処理を説明するためのフローチャートである。
【図１６】本発明の第２実施形態の画像形成装置の構成を示す平面図である。
【図１７】本発明の第３実施形態の画像形成装置の構成を示す断面図である。
【発明を実施するための形態】
【００２５】
以下、本発明の実施形態を図面に基づいて説明する。
【００２６】
［第１実施形態］
図１〜図１３を参照して、本発明の第１実施形態による画像形成装置１００の構成について説明する。
【００２７】
画像形成装置１００は、たとえば、プリンタ（印刷装置）として構成されている。たとえば、画像形成装置１００は、用紙やカード等の媒体Ｐ（図４参照）を搬送しながらインクを吐出することによって、媒体Ｐに印刷する（画像を印刷する）ように構成されているインクジェット式の印刷装置として構成されている。なお、本願明細書では、「媒体」に画像形成装置１００によって印刷され得るあらゆる被印刷体（被印刷体）が含まれるものとして記載している。
【００２８】
また、図１に示すように、画像形成装置１００は、情報処理装置２００とともに、画像形成システム３００を構成する。具体的には、画像形成装置１００は、情報処理装置２００から画像情報２０５ａを取得して、取得した画像情報２０５ａに基づいて、媒体Ｐに印刷するように構成されている。
【００２９】
情報処理装置２００は、たとえば、携帯情報端末（スマートフォン）またはパーソナルコンピュータとして構成されている。そして、情報処理装置２００は、媒体Ｐに印刷するための画像情報２０５ａを画像形成装置１００に送信するように構成されている。
【００３０】
（画像形成装置の構成）
画像形成装置１００には、制御部１が設けられている。制御部１は、たとえば、ＣＰＵ（Ｃｅｎｔｒａｌ  Ｐｒｏｃｅｓｓｉｎｇ  Ｕｎｉｔ）を含み、画像形成装置１００の各部を制御するように構成されている。具体的には、制御部１は、後述する記憶部８に格納されているプログラム８ａを実行するように構成されている。なお、制御部１は、特許請求の範囲の「媒体有無検出部」および「媒体幅検出部」の一例である。
【００３１】
また、画像形成装置１００には、通信部２が設けられている。通信部２は、たとえば、無線通信回路または有線通信回路を含み、情報処理装置２００と通信するように構成されている。
【００３２】
また、画像形成装置１００には、センサ部３が設けられている。センサ部３は、たとえば、光透過型センサとして構成されている。そして、センサ部３は、第１トレイ１１（図２参照）または第２トレイ１２（図４参照）に載置されている媒体Ｐの有無を検出するように構成されている。また、センサ部３は、第１ガイド部２１（図２参照）の位置を検出することにより、第１トレイ１１に載置されている媒体Ｐの幅を検出するとともに、第２ガイド部２２（図６参照）の位置を検出することにより、第２トレイ１２に載置されている媒体Ｐの幅を検出するように構成されている。なお、センサ部３は、特許請求の範囲の「媒体有無検出部」および「媒体幅検出部」の一例である。また、第１トレイ１１は、特許請求の範囲の「媒体載置部」および「第１媒体載置部」の一例である。また、第２トレイ１２は、特許請求の範囲の「媒体載置部」および「第２媒体載置部」の一例である。
【００３３】
具体的には、センサ部３は、発光部３ａと、第１有無検出用受光部３ｂ（以下、「第１有無受光部３ｂ」）と、第２有無検出用受光部３ｃ（以下、「第２有無受光部３ｃ」）と、第１幅検出用受光部３ｄ（以下、「第１幅受光部３ｄ」）と、第２幅検出用受光部３ｅ（以下、「第２幅受光部３ｅ」）とを含む。なお、発光部３ａは、特許請求の範囲の「発光部または受光部の他方」の一例である。また、第１有無受光部３ｂは、特許請求の範囲の「発光部または受光部の一方」および「一方側受光部」の一例である。また、第２有無受光部３ｃは、特許請求の範囲の「発光部または受光部の一方」および「他方側受光部」の一例である。また、第１幅受光部３ｄは、特許請求の範囲の「媒体幅検出部」の一例である。また、第２幅受光部３ｅは、特許請求の範囲の「媒体幅検出部」の一例である。
【００３４】
なお、本願明細書では、「第１トレイ１１の媒体の有無」について、第１トレイ１１に媒体Ｐが載置されている状態を「有」とし、第１トレイ１１に媒体Ｐが載置されていない状態を「無」として記載している。また、「第１トレイ１１に載置されている媒体Ｐの幅」とは、第１トレイ１１に媒体Ｐが載置された状態の媒体ＰのＸ方向（図２のキャリッジ５の移動方向）の幅を意味するものとして記載している。なお、「第２トレイ１２の媒体の有無」および「第２トレイ１２に載置されている媒体Ｐの幅」は、「第１トレイ１１の媒体の有無」および「第１トレイ１１に載置されている媒体Ｐの幅」と同様である。
【００３５】
そして、図３に示すように、発光部３ａは、後述するキャリッジ５（キャリア）の取付部５２に配置されている。また、第１有無受光部３ｂは、第１トレイ１１に配置されている。また、図４および図６に示すように、第２有無受光部３ｃは、第２トレイ１２に配置されている。そして、図７に示すように、第１幅受光部３ｄは、第１ガイド部２１に配置されている。また、第２幅受光部３ｅは、第２ガイド部２２に配置されている。
【００３６】
また、図１に示すように、画像形成装置１００には、駆動部４が設けられている。駆動部４は、たとえば、モータおよびエンコーダを含む。そして、駆動部４は、たとえば、ギアやベルトを介して、キャリッジ５および媒体搬送部６を駆動させるとともに、キャリッジ５の位置情報４ａを制御部１に伝達するように構成されている。
【００３７】
また、画像形成装置１００には、媒体Ｐに印刷する印刷部５ａを有するとともに、直線移動するキャリッジ５が設けられている。印刷部５ａは、たとえば、図４に示すように、インクが充填されているインクカートリッジ５ｂとインクヘッド５ｃとを含む。そして、印刷部５ａは、制御部１からの指令に基づいて、媒体Ｐにインクを滴下することにより、画像や文字を媒体Ｐに形成するように構成されている。
【００３８】
また、第１実施形態では、図４に示すように、画像形成装置１００には、印刷領域Ｒ１に媒体Ｐを搬送させるＬ字状の搬送経路Ｆ１を有する第１媒体搬送部６ａと、印刷領域Ｒ１に媒体Ｐを搬送させるＵ字状（Ｃ字状）の搬送経路Ｆ２を有する第２媒体搬送部６ｂとが設けられている。なお、印刷領域Ｒ１とは、印刷部５ａにより媒体Ｐに印刷される領域である。具体的には、印刷領域Ｒ１とは、矢印Ｚ１方向側から見て、キャリッジ５の移動領域（可動範囲）であり、かつ、矢印Ｘ１方向側から見て印刷部５ａの矢印Ｚ２方向側の領域である。
【００３９】
第１媒体搬送部６ａおよび第２媒体搬送部６ｂは、駆動部４に接続された搬送ローラ等を含む。そして、第１媒体搬送部６ａは、第１トレイ１１から印刷領域Ｒ１に、印刷される前の媒体Ｐを搬送するとともに、印刷領域Ｒ１から媒体排出トレイ１３に印刷後の媒体Ｐを搬送するように構成されている。また、第２媒体搬送部６ｂは、第２トレイ１２から印刷領域Ｒ１に、印刷される前の媒体Ｐを搬送するとともに、印刷領域Ｒ１から媒体排出トレイ１３に印刷後の媒体Ｐを搬送するように構成されている。
【００４０】
すなわち、第１実施形態では、第１トレイ１１は、第１媒体搬送部６ａに媒体Ｐを供給する、いわゆるＬパス用トレイとして構成されている。第２トレイ１２は、第２媒体搬送部６ｂに媒体Ｐを供給する、いわゆるＣパス用トレイとして構成されている。
【００４１】
また、図１に示すように、画像形成装置１００には、表示部７が設けられている。表示部７は、たとえば、液晶パネルにより構成されている。そして、表示部７は、制御部１からの指令に基づいて、媒体切れ（用紙切れ）を報知する画像、インク切れを報知する画像、および、後述する判別された媒体Ｐの種類が正しいか否かをユーザに確認するための画像（図９参照）を表示するように構成されている。
【００４２】
また、画像形成装置１００には、記憶部８が設けられている。記憶部８は、たとえば、揮発性メモリおよび不揮発性メモリを含む。そして、記憶部８には、予めプログラム８ａが記憶されているとともに、後述する第１テーブル８ｂ（図１０参照）および第２テーブル８ｃ（図１１参照）が記憶されている。
【００４３】
また、画像形成装置１００には、操作部９が設けられている。操作部９は、ユーザからの入力操作（たとえば、タッチ入力操作またはボタン押下操作）を受け付けて、入力操作の情報を制御部１に伝達するように構成されている。なお、操作部９は、表示部７と別個に構成する場合に限らず、図９示すように、表示部７と一体的に構成されたタッチパネル上に表示する操作部９として構成されていてもよい。
【００４４】
（情報処理装置の構成）
図１に示すように、情報処理装置２００には、制御部２０１と、通信部２０２と、表示部２０３と、操作部２０４と、記憶部２０５とを含む。制御部２０１は、情報処理装置２００の各部を制御するように構成されている。通信部２０２は、画像形成装置１００と有線通信または無線通信可能に構成されている。表示部２０３は、画像を表示するように構成されている。また、操作部２０４はユーザからの入力操作を受け付けるように構成されている。記憶部２０５は、画像情報２０５ａが記憶されている。
【００４５】
ここで、記憶部２０５には、印刷幅指定情報２０５ｂ（媒体サイズ情報）が記憶されている。たとえば、印刷幅指定情報２０５ｂは、印刷される媒体Ｐの種類（幅）を指定する情報であり、画像情報２０５ａの画像サイズに応じて自動的に設定されている。また、印刷幅指定情報２０５ｂは、ユーザによる入力操作により変更可能に構成されている。また、印刷幅指定情報２０５ｂは、画像情報２０５ａと別個の情報として、情報処理装置２００から画像形成装置１００に送信されてもよいし、画像情報２０５ａと合わせて送信されてもよい。
【００４６】
ここで、制御部２０１は、印刷幅指定情報２０５ｂと検出された媒体Ｐの幅とが対応しないことを示す異常情報を画像形成装置１００から受信した場合には、図１２に示すように、表示部２０３に、印刷幅指定情報と検出された媒体Ｐの幅とが対応しないことを示す異常表示（正しい種類の媒体Ｐに交換することを促す画像）を行うように構成されている。これにより、ユーザに異常表示を視認させることが可能になり、載置されている媒体Ｐの種類の変更をユーザに促すことが可能になる。
【００４７】
また、情報処理装置２００では、媒体Ｐの有無の情報を画像形成装置１００から取得するように構成されている。そして、制御部２０１は、媒体Ｐの有無の情報のうちの媒体Ｐがないことを示す情報を画像形成装置１００から受信した場合には、図１３に示すように、表示部２０３に、媒体Ｐがないことを示す画像（たとえば、「媒体がトレイに載置されていません」等の文字画像）を表示させるように構成されている。
【００４８】
（媒体の有無の検出のための構造）
図２に示すように、画像形成装置１００には、筐体１００ａが設けられている。第１トレイ１１は、筐体１００ａの矢印Ｙ２方向側の部分から矢印Ａ１方向に突出するように配置されている。また、図４に示すように、第２トレイ１２は、筐体１００ａの内部の矢印Ｚ２方向側の部分において、ＸＹ平面に沿って配置されている。そして、第１トレイ１１および第２トレイ１２は、それぞれ、複数の媒体Ｐが積層されて載置されるように構成されている。
【００４９】
また、図２に示すように、排出トレイ１３は、筐体１００ａの矢印Ｙ１方向側の部分に配置されている。そして、筐体１００ａの矢印Ｙ１方向側の側面には開口１３ａが設けられており、開口１３ａを介して、排出トレイ１３に載置された媒体Ｐが外部に排出可能に構成されている。
【００５０】
また、図４に示すように、印刷領域Ｒ１は、媒体Ｐの搬送経路Ｆ１およびＦ２上に設けられている。また、印刷領域Ｒ１は、筐体１００ａの内部において、ＸＹ平面に沿って設けられている。そして、第１媒体搬送部６ａおよび第２媒体搬送部６ｂは、それぞれ、媒体Ｐを矢印Ｙ１方向に搬送するように構成されている。なお、以下の説明で「媒体の搬送方向」と記載した場合には、図中のＹ方向に平行な方向を意味するものとし、「キャリッジの移動方向」と記載した場合には、Ｘ方向に平行な方向を意味するものとする。また、「平面視」とは、図中の矢印Ｚ１方向側から矢印Ｚ２方向に見た状態を意味するものとする。
【００５１】
また、図３に示すように、画像形成装置１００には、矢印Ｚ１方向側から見て、媒体Ｐの搬送方向に垂直な方向（Ｘ方向）に沿って延びるとともに、キャリッジ５を矢印Ｘ１方向または矢印Ｘ２方向に直線移動させる移動機構部５１が設けられている。移動機構部５１は、たとえば、Ｘ軸に沿って延びるレール部材を含む。
【００５２】
そして、キャリッジ５は、移動機構部５１の矢印Ｙ１方向側に配置されており、移動機構部５１に沿って、矢印Ｂ１方向または矢印Ｂ２方向に直線移動するように構成されている。また、図３および図４に示すように、キャリッジ５は、印刷領域Ｒ１の上方（矢印Ｚ１方向側）をＸ方向に走査（往復移動）しながら、印刷部５ａのインクヘッド５ｃからインクを媒体Ｐに滴下して媒体Ｐに画像を形成するように構成されている。
【００５３】
ここで、第１実施形態では、図３に示すように、画像形成装置１００は、矢印Ｚ１方向側から見て、発光部３ａからキャリッジ５の移動方向側（矢印Ｘ１方向側）に傾斜した方向（矢印Ｃ１方向）に照射された光が第１有無受光部３ｂにより受光されたか否かに基づいて、第１トレイ１１に載置されている媒体Ｐの有無を検出するように構成されている。
【００５４】
キャリッジ５は、取付部５２を含む。取付部５２は、移動機構部５１の矢印Ｚ１方向側に位置し、移動機構部５１よりも矢印Ｙ２方向に突出する。取付部５２は、キャリッジ５と一体的に直線移動する。そして、取付部５２の矢印Ｚ２方向側の部分（図４参照）に、発光部３ａが取り付けられている。ここで、発光部３ａは、たとえば、発光ダイオード（ＬＥＤ：Ｌｉｇｈｔ  Ｅｍｉｔｔｉｎｇ  Ｄｉｏｄｅ）からなる。発光部３ａは、放射状に光（たとえば、赤外光）を照射可能に構成されている。好ましくは、図５に示すように、発光部３ａは、光量が半値（０．５）となる角度範囲が１２０度以上になるように構成されている。図５に示す例では、片側−６３度であり、光量が半値以上となる角度範囲が１２６度である発光部３ａの構成例を示している。
【００５５】
ここで、図３に示すように、第１実施形態では、矢印Ｚ１方向側から見て、第１有無受光部３ｂは、キャリッジ５が原点位置Ｇ（ホームポジション）に位置する状態で、発光部３ａからキャリッジ５の移動方向側（矢印Ｂ１方向側）に傾斜した方向である矢印Ｃ１方向に光が照射された際に受光可能な位置に配置されている。言い換えると、発光部３ａは、発光部３ａから矢印Ｙ２に対して、所定の角度（たとえば、略３０度）、矢印Ｘ１方向側に向いた方向に配置された第１有無受光部３ｂに光を照射するように構成されている。すなわち、発光部３ａの照射方向（矢印Ｃ１方向）は、載置面１１ａに対してキャリッジ５の移動方向に傾斜している。また、原点位置Ｇは、第１トレイ１１よりもキャリッジ５の移動方向の一方側に位置する。
【００５６】
また、第１有無受光部３ｂの受光面は、矢印Ｃ１方向に略垂直になるように配置されている。すなわち、第１有無受光部３ｂは、矢印Ｘ１方向に対して、矢印Ｄ１方向に傾斜するように配置されている。
【００５７】
また、第２有無受光部３ｃは、キャリッジ５が原点位置Ｇに位置する状態で、発光部３ａからキャリッジ５の移動方向側（矢印Ｂ１方向側）に傾斜した方向である矢印Ｃ２方向に光が照射された際に受光可能な位置に配置されている。また、図６に示すように、第２有無受光部３ｃは、矢印Ｙ１方向側から見て、キャリッジ５が原点位置Ｇに位置する状態で、発光部３ａからキャリッジ５の移動方向側（矢印Ｘ１方向側）に傾斜した方向である矢印Ｃ３方向に光が照射された際に受光可能な位置に配置されている。
【００５８】
ここで、第１実施形態では、原点位置Ｇは、矢印Ｙ１方向側から見て、第１トレイ１１および第２トレイ１２よりも矢印Ｘ２方向側に設けられている。そして、原点位置Ｇには、キャップ部５３が設けられている。キャップ部５３は、キャリッジ５が原点位置Ｇに位置する状態で、印刷部５ａのインクヘッド５ｃをキャッピングするように構成されている。そして、キャリッジ５は、画像形成装置１００が待機状態において、原点位置Ｇに位置するように制御されている。なお、「待機状態」とは、たとえば、画像形成装置１００の主電源はオンとなっている一方、媒体検出制御処理（図１４参照）が実行されていない状態である。
【００５９】
また、図４に示すように、第１有無受光部３ｂは、発光部３ａに対して第１トレイ１１の載置面１１ａの反対側（載置面の裏側）に固定されている。そして、第１有無受光部３ｂは、媒体Ｐが載置面１１ａに載置されていない状態では、第１トレイ１１の開口部１１ｂを介して発光部３ａから照射された光を受光して、制御部１に受光を示す信号を伝達するように構成されている。
【００６０】
また、図６に示すように、第２有無受光部３ｃは、第２トレイ１２の載置面１２ａよりも矢印Ｚ２方向側（載置面の裏側）に固定されている。そして、第２有無受光部３ｃは、媒体Ｐが載置面１２ａに載置されていない状態では、第２トレイ１２の開口部１２ｂを介して発光部３ａから矢印Ｃ３方向に照射された光を受光して、制御部１に受光を示す信号を伝達するように構成されている。また、第２有無受光部３ｃは、載置面１２ａ（ＸＹ平面）に対して矢印Ｄ２方向に傾斜して配置されている。
【００６１】
また、図４に示すように、発光部３ａは、ＸＹ平面から矢印Ｄ３方向に傾斜して取付部５２に配置されている。言い換えると、取付部５２は、ＸＹ平面に対して角度φ１の傾斜角を有する。また、矢印Ｘ１方向側から見て、発光部３ａは、発光部３ａと第１有無受光部３ｂとを通る線Ｅ１と、発光部３ａと第２有無受光部３ｃとを通る線Ｅ２との間（角度θ１の範囲内）に発光中心（図５の０度の方向）が設けられるように配置されている。
【００６２】
また、第１有無受光部３ｂおよび第２有無受光部３ｃは共に、発光部３ａの光量の半値角（配光角）の範囲内に配置されている。これにより、発光部３ａが点灯された際に、第１有無受光部３ｂと第２有無受光部３ｃとの両方に光が照射される。すなわち、発光部３ａは、第１有無受光部３ｂに対する発光部と、第２有無受光部に対する発光部とを兼ねるように構成されている。
【００６３】
そして、制御部１は、キャリッジ５が原点位置Ｇに位置する状態（待機状態）で、発光部３ａから光を照射した際に、第１有無受光部３ｂから受光を示す信号を取得した場合には、第１トレイ１１に媒体Ｐが載置されていないとして制御処理を行う。また、制御部１は、発光部３ａから光を照射した際に、第１有無受光部３ｂから受光を示す信号を取得しない場合には、第１トレイ１１に媒体Ｐが載置されている（媒体Ｐが検出された）として制御処理を行う。
【００６４】
また、制御部１は、発光部３ａから光を照射した際に、第２有無受光部３ｃから受光を示す信号を取得した場合には、第２トレイ１２に媒体Ｐが載置されていないとして制御処理を行い、発光部３ａから光を照射した際に、第２有無受光部３ｃから受光を示す信号を取得しない場合には、第２トレイ１２に媒体Ｐが載置されている（媒体Ｐが検出された）として制御処理を行う。
【００６５】
そして、第１実施形態では、制御部１は、通信部２を介して、媒体Ｐの有無の情報を情報処理装置２００に送信するように構成されている。
【００６６】
（媒体の幅の検出のための構造）
ここで、第１実施形態では、図３に示すように、制御部１は、媒体Ｐが検出されたことに基づいて、媒体Ｐの幅を検出するためにキャリッジ５の移動（矢印Ｂ１方向への移動）を開始するように構成されている。具体的には、キャリッジ５が原点位置Ｇよりも矢印Ｘ１方向側（点線表示の位置）に移動される。なお、図３では、説明のために媒体Ｐは図示していない。
【００６７】
具体的には、第１ガイド部２１は、第１トレイ１１の矢印Ｘ１方向側の部分に載置面１１ａに沿って設けられている。また、第１ガイド部２１は、媒体Ｐの幅に応じて移動方向（Ｘ軸）に沿って移動可能に構成されている。また、第１ガイド部２１は、媒体Ｐが第１トレイ１１から搬送される際に媒体Ｐをガイドするように構成されている。具体的には、第１ガイド部２１は、ガイド移動機構部２３に沿って移動されるように構成されている。そして、第１実施形態では、第１トレイ１１に１つの第１ガイド部２１が設けられており、第１トレイ１１は、いわゆる片寄せ型の媒体トレイとして構成されている。
【００６８】
また、図７に示すように、第２ガイド部２２は、第２トレイ１２の矢印Ｘ１方向側の部分に載置面１２ａに沿って設けられている。また、第２ガイド部２２は、媒体Ｐの幅に応じて移動方向（Ｘ軸）に沿って移動可能に構成されている。また、第２ガイド部２２は、媒体Ｐが第２トレイ１２から搬送される際に媒体Ｐをガイドするように構成されている。
【００６９】
そして、第１ガイド部２１および第２ガイド部２２は、それぞれ、ユーザにより把持されて移動されるように構成されている。また、第１ガイド部２１は、第１トレイ１１に載置された媒体Ｐの矢印Ｘ１方向側の端部に近接（または接触）して配置されている。第１ガイド部２１の配置位置は、媒体Ｐの幅に対応する。そして、第２ガイド部２２は、第２トレイ１２に載置された媒体Ｐの矢印Ｘ１方向側の端部に近接（接触）して配置されている。第２ガイド部２２の配置位置は、媒体Ｐの幅に対応する。
【００７０】
ここで、制御部１は、第１ガイド部２１の配置位置を検出することにより、第１トレイ１１に載置された媒体Ｐの幅を取得して、第１トレイ１１に載置された媒体Ｐの種類を判別する制御を行うように構成されている。また、制御部１は、第２ガイド部２２の配置位置を検出することにより、第２トレイ１２に載置された媒体Ｐの幅を取得して、第２トレイ１２に載置された媒体Ｐの種類を判別する制御を行うように構成されている。
【００７１】
具体的には、図７に示すように、第１ガイド部２１の内部には、第１幅受光部３ｄが設けられている。また、第２ガイド部２２の内部には、第２幅受光部３ｅが設けられている。詳細には、図８に示すように、第１ガイド部２１のキャリッジ５側の側面には、開口部２１ａが形成されている。そして、開口部２１ａと第１幅受光部３ｄとの間に筒状部２１ｂが設けられている。また、発光部３ａと第２幅受光部３ｅとの間に筒状部２２ａが設けられている。また、筒状部２１ｂは、特許請求の範囲の「光規制部」の一例である。また、筒状部２２ｂは、特許請求の範囲の「光規制部」の一例である。
【００７２】
そして、第１実施形態では、開口部２１ａおよび筒状部２１ｂと、筒状部２２ｂとにより、発光部３ａから照射された光の照射範囲が光路Ｅ３の近傍および光路Ｅ４の近傍に制限されるように構成されている。なお、光路Ｅ３は、発光部３ａと第１幅受光部３ｄとを通る線上に位置する。また、光路Ｅ４は、発光部３ａと第２幅受光部３ｅとを通る線上に位置するとともに、矢印Ｚ２方向に対して矢印Ｙ２方向に角度θ２を有する。すなわち、発光部３ａの照射方向（光路Ｅ３）は、キャリッジ５の移動方向に略垂直な方向である。
【００７３】
そして、第１幅受光部３ｄおよび第２幅受光部３ｅは、たとえば、赤外光を検出可能なフォトセンサ（フォトトランジスタ）として構成されている。第１幅受光部３ｄおよび第２幅受光部３ｅは、略同様に構成されているため、以下に第１幅受光部３ｄに関する構成について説明し、第２幅受光部３ｅに関する構成の説明を省略する。
【００７４】
筒状部２１ｂは、キャリッジ５の移動方向に垂直な方向（光路Ｅ３）に沿って延びるように形成されている。たとえば、図８に示すように、筒状部２１ｂは、開口部２１ａの直径ｄ１より大きい、光路Ｅ３に沿った長さＬ１を有する。また、筒状部２２ａは、直径ｄ２より大きい、光路Ｅ４に沿った長さＬ２を有する。たとえば、長さＬ１は、直径ｄ１の５倍以上の大きさである。また、長さＬ２は、直径ｄ２の５倍以上の大きさである。
【００７５】
これにより、図７に示すように、キャリッジ５が原点位置Ｇから移動されて、キャリッジ５の発光部３ａが第１ガイド部２１の略同一のＸ軸に沿った位置（略同一のＸ座標位置）に到達した時に、第１幅受光部３ｄは、発光部３ａから照射された光を受光する。すなわち、この時、第１実施形態では、筒状部２１ｂが発光部３ａと第１幅受光部３ｄとの間に配置された状態になる。そして、第１幅受光部３ｄは、受光したことを示す信号を制御部１に伝達するように構成されている。
【００７６】
ここで、第１実施形態では、制御部１は、発光部３ａからの光を第１幅受光部３ｄが受光したことに基づいて、第１トレイ１１に載置された媒体Ｐの幅を検出するように構成されている。すなわち、第１実施形態では、発光部３ａは、媒体Ｐの有無の検出のための発光部と、媒体Ｐの幅の検出のための発光部とを兼ねるように構成されている。
【００７７】
具体的には、第１実施形態では、制御部１は、発光部３ａからの光を第１幅受光部３ｄが受光した時点（受光を示す信号を取得した時点）におけるキャリッジ５の位置情報（Ｘ座標情報）に基づいて、第１トレイ１１に載置された媒体Ｐの幅を検出するように構成されている。たとえば、記憶部８には、図１０に示すように、予めキャリッジ５のＸ座標情報と媒体Ｐの幅とのテーブルである第１テーブル８ｂが記憶されている。そして、制御部１は、発光部３ａからの光を第１幅受光部３ｄが受光した時点のキャリッジ５のＸ座標がｃ１の場合、第１テーブル８ｂを参照して、媒体Ｐの幅ｃ２（たとえば、２１０．０ｍｍ）を取得するように構成されている。
【００７８】
そして、第１実施形態では、図１１に示すように、制御部１は、取得された媒体Ｐの幅が、所定の範囲ごとに区分された複数の媒体幅群（媒体幅群Ｎｏ．１〜Ｎｏ．１３）のうちのいずれの媒体幅群であるかを判別するように構成されている。
【００７９】
具体的には、制御部１は、記憶部８に記憶されている媒体Ｐの幅と媒体幅群との対応テーブルである第２テーブル８ｃを参照して、媒体幅群を判別するように構成されている。たとえば、制御部１は、媒体Ｐの幅として「２１０．０ｍｍ」を取得した場合、媒体幅群として「２」を取得するように構成されている。なお、同一の媒体幅群には、互いに近い幅を有する媒体Ｐの種類が設定されている。
【００８０】
そして、媒体幅群には、それぞれ、媒体Ｐの種類が設定されている。媒体Ｐの種類には、たとえば、図１１に示すように、米国（ＵＳ）タイプおよび日本国（ＪＰ）タイプを含む。ここで、制御部１は、媒体幅群の各々に、ユーザまたは初期設定として１つの媒体Ｐの種類が設定されている。たとえば、媒体幅群「４」には、互いに近い幅を有する「Ｅｘｅｃｕｔｉｖｅ」および「Ｂ５」が含まれており、ユーザまたは初期設定として日本国（ＪＰ）タイプの「Ｂ５」が設定されている。この場合、制御部１は、媒体幅群「４」を取得した場合、「Ｂ５」の媒体Ｐが第１トレイ１１に載置されていると判別する。
【００８１】
そして、図９に示すように、制御部１は、判別された媒体Ｐの種類が正しいか否かをユーザに確認するための画像を表示部７に表示させるように構成されている。たとえば、表示部７に、「媒体サイズは正しいですか？」等の文字画像が表示される。そして、制御部１は、操作部９の「ＯＫ」ボタンがユーザにより押下された場合には、判別された媒体Ｐの種類を決定（設定）するとともに、操作部９の「設定」ボタンがユーザにより押下された場合には、ユーザの入力操作に基づいた媒体Ｐの種類を決定（設定）するように構成されている。
【００８２】
また、制御部１は、情報処理装置２００から取得した印刷幅指定情報２０５ｂと、取得した媒体Ｐの種類（媒体Ｐの幅）とを比較するように構成されている。そして、制御部１は、印刷幅指定情報２０５ｂと取得した媒体Ｐの種類（媒体Ｐの幅）とが対応しない場合（一致しない場合）に、印刷幅指定情報２０５ｂ（用紙設定）と載置された媒体Ｐ（用紙）が異なること（異常）を報知する情報を情報処理装置２００に送信するように構成されている。
【００８３】
具体的には、制御部１は、印刷幅指定情報２０５ｂとして「Ｂ５」を取得した場合に、取得した（検出した）媒体Ｐの種類が「Ａ４」の場合には、異常を報知する情報を情報処理装置２００に送信する。そして、図１２に示すように、情報処理装置２００は、異常を報知する情報を取得して、表示部２０３に、印刷幅指定情報２０５ｂと載置された媒体Ｐの種類が異なること（異常）を報知する表示または正しい種類の媒体Ｐに交換することを促す画像の表示を行うように構成されている。たとえば、表示部２０３に、「印刷しようとする媒体サイズと、トレイに載置されている媒体サイズが一致しません」等の文字画像および「正しい媒体サイズの媒体をトレイに載置して下さい」等の文字画像が表示される。
【００８４】
そして、制御部１は、印刷幅指定情報２０５ｂと取得した媒体Ｐの種類（媒体Ｐの幅）とが対応する場合に、媒体Ｐに対する印刷を開始する制御を行うように構成されている。具体的には、第１トレイ１１の媒体Ｐに印刷する場合には、第１トレイ１１の媒体Ｐが第１媒体搬送部６ａにより、矢印Ｙ１方向の印刷領域Ｒ１に搬送されて、キャリッジ５が矢印Ｘ１方向または矢印Ｘ２方向に直線移動されながら、媒体Ｐに画像情報に対応する画像が印刷（印字）される。そして、印刷された媒体Ｐが、排出トレイ１３に排出される。
【００８５】
また、制御部１は、媒体Ｐが「有」の状態から媒体Ｐが「無」の状態に変化して、再び媒体Ｐが「有」の状態に変化した場合、媒体Ｐが交換されたと判断して、再び媒体Ｐの幅を検出して、媒体Ｐの幅（媒体Ｐの種類）を再設定する制御を行うように構成されている。
【００８６】
また、制御部１は、媒体Ｐの有無の検出を常時行うか、または、所定の時間間隔で行うように構成されており、媒体Ｐの有無の情報を、情報処理装置２００に伝達するように構成されている。これにより、情報処理装置２００では、画像情報２０５ａを画像形成装置１００に送信するか否かに関わらず、最新の媒体Ｐの有無の情報が保持されている。なお、情報処理装置２００では、媒体Ｐのないことを示す情報を取得した場合、図１３に示す画像が表示部２０３に表示される。また、制御部１は、媒体Ｐの有無の情報に加えて、媒体Ｐの種類の判別結果を、情報処理装置２００に送信するように構成されている。
【００８７】
（画像形成装置の制御処理）
〈媒体の検出の制御処理〉
次に、図１４を参照して、第１実施形態の画像形成装置１００による媒体Ｐの検出の制御処理フローについて説明する。以下の制御処理は、制御部１により実行される。なお、図１４における「スタート」とは、たとえば、画像形成装置１００の電源がオフからオンに切り替えられた時点である。
【００８８】
まず、ステップＳ１において、媒体Ｐの有無が検出される。すなわち、キャリッジ５が原点位置Ｇに位置する状態で、発光部３ａから光を照射して、第１有無受光部３ｂまたは第２有無受光部３ｃが受光したか否かが判断される。そして、媒体Ｐが「有」の場合、ステップＳ２に進み、媒体Ｐが「無」の場合、ステップＳ１２に進む。
【００８９】
ステップＳ２において、キャリッジ５の移動が開始される。すなわち、ステップＳ１において媒体Ｐが検出されたことに基づいて、媒体Ｐの幅を検出するためのキャリッジ５の移動が開始される。その後、ステップＳ３に進む。
【００９０】
ステップＳ３において、媒体Ｐの幅の検出が行われる。すなわち、キャリッジ５が移動されながら発光部３ａから光が照射されて、第１幅受光部３ｄまたは第２幅受光部３ｅが受光した時点におけるキャリッジ５の位置情報に基づいて、媒体Ｐの幅が検出される。また、この時、第１実施形態では、媒体Ｐの幅に基づいて、媒体Ｐの種類が判別される。その後、ステップＳ４に進む。
【００９１】
ステップＳ４において、画像形成装置１００に表示部７が搭載されているか否かが判断される。すなわち、制御部１（プログラム８ａ）は、表示部７が搭載されていない画像形成装置、および、表示部７が搭載されている第１実施形態の画像形成装置１００の両方に適用可能である。画像形成装置１００に表示部７が搭載されている（表示部７がある）場合、ステップＳ５に進み、表示部７が搭載されていない（表示部７がない）場合、ステップＳ８に進む。
【００９２】
ステップＳ５において、判別された媒体Ｐの種類が正しいか否かをユーザに確認するための画像が表示部７（図９参照）に表示される。その後、ステップＳ６に進む。
【００９３】
ステップＳ６において、ユーザにより正しいことを示す入力操作（たとえば、図９の「ＯＫ」ボタンの操作）が行われたか否かが判断される。たとえば、操作部９に設けられ、判別された媒体Ｐの種類を設定することを示すボタン「設定」が押下された場合には、ステップＳ７に進む。また、操作部９に設けられ、判別された媒体Ｐの種類が正しいことを示すボタン「ＯＫ」が押下された場合には、ステップＳ９に進む。
【００９４】
ステップＳ７において、ユーザの入力操作に基づいて媒体Ｐの種類が設定される。その後、ステップＳ９に進む。
【００９５】
表示部７がない場合に進むステップＳ８において、検出された媒体Ｐの幅に基づいて媒体Ｐの種類が設定される。その後、ステップＳ９に進む。
【００９６】
ステップＳ９において、媒体Ｐの種類が記憶部８に記憶される。すなわち、ステップＳ６において、「ＯＫ」が押下された場合には、判別された媒体Ｐの種類が記憶部８に記憶され、ステップＳ６において、「設定」が押下された場合には、ステップＳ７においてユーザの入力操作に基づく媒体Ｐの種類が記憶される。また、表示部７がない場合には、ステップＳ８において設定された媒体Ｐの種類が記憶部８に記憶される。その後、ステップＳ１０に進む。
【００９７】
ステップＳ１０において、画像形成装置１００が待機状態またはスリープ状態にされる。なお、スリープ状態とは、画像形成装置１００の主電源はオンである一方、制御部１の主なソフトウェアの電源がオフされた状態であり、待機状態では、ソフトウェアの電源はオンにされている。その後、ステップＳ１１に進む。
【００９８】
ステップＳ１１において、媒体Ｐが載置または交換されたか否かが判断される。すなわち、媒体Ｐが載置または交換（「有」の状態から「無」の状態への変化した後、「有」の状態への変化）されるまで、この判断を繰り返し、媒体Ｐが載置または交換された場合、ステップＳ２に戻る。なお、媒体Ｐが載置されるとは、媒体Ｐが「無」の状態から「有」の状態への変化したことを意味する。また、媒体Ｐが交換されるとは、媒体Ｐが「有」の状態から「無」の状態へ変化して、再び「有」の状態への変化したことを意味する。
【００９９】
ステップＳ１２において、表示部７が画像形成装置１００に搭載されているか否かが判断される。画像形成装置１００に表示部７が搭載されている場合、ステップＳ１３に進み、表示部７が搭載されていない場合、ステップＳ１４に進む。
【０１００】
ステップＳ１３において、媒体Ｐが無いことを示す画像（媒体Ｐ切れの画像）が表示部７に表示される。その後、ステップＳ１５に進む。また、ステップＳ１４では、媒体Ｐが無いことが記憶部８に記憶される。その後、ステップＳ１５に進む。
【０１０１】
ステップＳ１５において、媒体Ｐが載置されたか否かが判断される。媒体Ｐが載置された場合、ステップＳ２に進み、媒体Ｐが載置されない場合、ステップＳ１０に進む。上記ステップＳ１〜Ｓ１５の処理により、媒体Ｐの有無の検出および媒体Ｐの種類の設定（記憶）が行われる。
【０１０２】
〈印刷制御処理〉
次に、図１５を参照して、第１実施形態の画像形成装置１００（画像形成システム３００）による媒体Ｐに対する印刷の制御処理フローについて説明する。以下の制御処理は、画像形成装置１００においては制御部１により実行され、情報処理装置２００においては制御部２０１により実行される。なお、図１５における「待機状態」とは、図１４の媒体Ｐの検出の制御処理の待機状態に対応する。
【０１０３】
まず、ステップＳ１０１において、情報処理装置２００から画像情報２０５ａが画像形成装置１００に送信される。そして、ステップＳ１０２において、情報処理装置２００から送信された画像情報２０５ａが画像形成装置１００により受信される。その後、ステップＳ１０３に進む。
【０１０４】
ステップＳ１０３において、スリープ状態か否かが判断される。スリープ状態の場合、ステップＳ１０４に進み、スリープ状態でない場合、ステップＳ１０５に進む。そして、ステップＳ１０４において、スリープ状態から復帰（スリープ状態が解除）される。その後、ステップＳ１０５に進む。
【０１０５】
ステップＳ１０５において、媒体Ｐの有無の検出がされる。媒体Ｐが「有」の場合、ステップＳ１０７に進み、媒体Ｐが「無」の場合、ステップＳ１０８に進む。
【０１０６】
ステップＳ１０６において、情報処理装置２００から画像形成装置１００に印刷幅指定情報２０５ｂが送信され、媒体Ｐが「有」の場合に進むステップＳ１０７において、画像形成装置１００により印刷幅指定情報２０５ｂが受信される。その後、ステップＳ１１３に進む。なお、印刷幅指定情報２０５ｂは、上記した画像情報２０５ａに含まれていてもよい。
【０１０７】
媒体Ｐが「無」の場合に進むステップＳ１０８において、媒体Ｐがないことを示す情報（媒体Ｐの有無の情報）が画像形成装置１００から情報処理装置２００に送信される。その後、画像形成装置１００では、ステップＳ１１０に進む。そして、ステップＳ１０９において、媒体Ｐがないことを示す情報が情報処理装置２００により受信されて、媒体Ｐが載置されていないことを示す画像が情報処理装置２００の表示部２０３に表示される。
【０１０８】
ステップＳ１１０において、媒体Ｐが載置されたか否かが判断される。媒体Ｐが載置される（「有」の状態になる）までこの判断は繰り返され、媒体Ｐが載置された場合、ステップＳ１１１に進む。
【０１０９】
ステップＳ１１１において、キャリッジ５の移動が開始される。その後、ステップＳ１１２において、媒体Ｐの種類（幅）が検出される。すなわち、媒体Ｐの幅が検出され、検出された媒体Ｐの幅に基づいて媒体の種類が判別される。その後、ステップＳ１０７に進む。
【０１１０】
ステップＳ１１３において、印刷幅指定情報２０５ｂと判別された媒体Ｐの種類（媒体サイズ）とが対応（一致）しているか否かが判断される。印刷幅指定情報２０５ｂと媒体Ｐの種類とが対応する場合、ステップＳ１１４に進み、印刷幅指定情報２０５ｂと媒体Ｐの種類とが対応しない場合、ステップＳ１１５に進む。
【０１１１】
ステップＳ１１４において、媒体Ｐが第１媒体搬送部６ａまたは第２媒体搬送部６ｂにより印刷領域Ｒ１に搬送されて、印刷が実行される。その後、待機状態に戻る。その後、印刷制御処理が終了される。
【０１１２】
また、印刷幅指定情報２０５ｂと媒体Ｐの種類とが対応しない場合に進むステップＳ１１５において、印刷幅指定情報２０５ｂと検出された媒体Ｐの幅とが対応しないことを示す異常情報が画像形成装置１００から情報処理装置２００に送信される。そして、ステップＳ１１６において、情報処理装置２００の表示部２０３に印刷幅指定情報２０５ｂと検出された媒体Ｐの幅とが対応しないことを示す画像（図１２参照）が表示される。
【０１１３】
ステップＳ１１７において、媒体Ｐが交換されたか否かが判断される。媒体Ｐが交換された場合、ステップＳ１１１に戻り、媒体Ｐが交換されない場合、ステップＳ１１８に進む。そして、ステップＳ１１８において、ユーザによる印刷指示を示す入力操作が行われたか否かが判断される。印刷指示を示す入力操作が行われた場合、ステップＳ１１４に進み、印刷指示を示す入力操作が行われていない場合、ステップＳ１１９に進む。
【０１１４】
ステップＳ１１９において、ユーザによる印刷指示をキャンセルする入力操作が行われたか否かが判断される。印刷指示をキャンセルする入力操作が行われた場合、ステップＳ１２０に進み、印刷制御処理が終了され、印刷指示をキャンセルする入力操作が行われていない場合、ステップＳ１１７に戻る。
【０１１５】
ステップＳ１２０において、印刷処理のキャンセルが行われる。すなわち、媒体Ｐに対する印刷が実行されずに待機状態に戻る。なお、情報処理装置２００の制御処理フローでは、ステップＳ１０１、ステップＳ１０９、ステップＳ１０６、および、ステップＳ１１６のこの順に処理される例を記載したが、媒体Ｐがないことを示す情報が画像形成装置１００から送信されない場合は、ステップＳ１０１の後にステップＳ１０６に進む。
【０１１６】
［第１実施形態の効果］
第１実施形態では、以下のような効果を得ることができる。
【０１１７】
第１実施形態では、上記のように、発光部３ａの照射方向（矢印Ｃ１方向）は、載置面１１ａに対してキャリッジ５の移動方向に傾斜している。すなわち、画像形成装置１００を、平面視において、発光部３ａからキャリッジ５の移動方向側に傾斜した方向に照射された光が第１有無受光部３ｂにより受光されたか否かに基づいて、第１トレイ１１に載置されている媒体Ｐの有無を検出するように構成する。これにより、キャリッジ５を移動させることなく、平面視において、キャリッジ５の移動方向側の第１有無受光部３ｂに光を照射して、媒体Ｐの有無を検出することができる。また、キャリッジ５を移動させることなく、媒体Ｐの有無を検出することができるので、キャリッジ５を移動させて媒体Ｐの有無を検出する場合と異なり、キャリッジ５を移動させる期間の分、印刷の開始を早めることができる。また、情報処理装置２００に媒体Ｐの有無の情報を送信する場合には、キャリッジ５を移動させることなく、媒体Ｐの有無の情報を情報処理装置２００に送信することができる。たとえば、情報処理装置２００が媒体Ｐの有無の情報を画像形成装置１００に要求を行うように構成されている場合に、画像形成装置１００の機構部を駆動させることなく、要求に応じて、媒体Ｐの有無の情報を画像形成装置１００から情報処理装置２００に送信することができる。
【０１１８】
また、第１実施形態では、上記のように、画像形成装置１００を、キャリッジ５が原点位置Ｇに位置する状態で、媒体Ｐの有無を検出するように構成する。これにより、キャリッジ５が原点位置Ｇ（ホームポジション）に位置する状態で、媒体Ｐの有無を検出することができるので、キャリッジ５を原点位置Ｇから移動させることなく、媒体Ｐの有無を検出することができる。
【０１１９】
また、第１実施形態では、上記のように、原点位置Ｇを、第１トレイ１１よりもキャリッジ５の移動方向の一方側に設ける。これにより、第１トレイ１１から原点位置Ｇに位置するキャリッジ５に向けて光を照射することができるので、キャリッジ５を原点位置Ｇ（ホームポジション）から移動方向の他方側（矢印Ｂ１方向側）に移動させることなく、媒体Ｐの有無を容易に検出することができる。
【０１２０】
また、第１実施形態では、上記のように、画像形成装置１００に、第１トレイ１１に設けられ、媒体Ｐの幅に応じて移動方向に沿って移動可能に構成されているとともに、媒体Ｐが第１トレイ１１から搬送される際に媒体Ｐをガイドする第１ガイド部２１を設ける。そして、画像形成装置１００を、発光部３ａおよび第１幅受光部３ｄを含み、第１トレイ１１に載置された媒体Ｐの幅を検出するように構成する。また、発光部３ａをキャリッジ５に配置して、第１幅受光部３ｄを第１ガイド部２１に配置する。そして、画像形成装置１００を、キャリッジ５が原点位置Ｇから移動された状態で、発光部３ａから照射された光を第１幅受光部３ｄが受光したことに基づいて、第１トレイ１１に載置された媒体Ｐの幅を検出するように構成する。これにより、キャリッジ５を原点位置Ｇから移動させることなく、媒体Ｐの有無を検出することができるとともに、キャリッジ５を原点位置Ｇから移動させれば、第１トレイ１１に載置された媒体Ｐの幅を検出することができる。すなわち、キャリッジ５に配置された発光部３ａを用いて、媒体Ｐの有無および媒体Ｐの幅の両方を検出することができる。
【０１２１】
また、第１実施形態では、上記のように、制御部１を、発光部３ａからの光を第１幅受光部３ｄが受光した時点におけるキャリッジ５の位置情報４ａに基づいて、第１トレイ１１に載置された媒体Ｐの幅を検出するように構成する。これにより、第１幅受光部３ｄが受光した時点に対応するキャリッジ５の位置情報４ａを取得すれば、容易に第１ガイド部２１の位置情報を取得することができるので、第１ガイド部２１を媒体Ｐの幅に合わせておくことにより、容易に媒体Ｐの幅を検出することができる。
【０１２２】
また、第１実施形態では、上記のように、画像形成装置１００を、平面視において、発光部３ａから移動方向に略垂直な方向に光を照射するように構成するとともに、発光部３ａと第１幅受光部３ｄとの間に、発光部３ａからの光の照射範囲を規制する筒状部２１ｂを設ける。これにより、発光部３ａから第１幅受光部３ｄに照射される光の照射角度が規制されるので、キャリッジ５の位置（Ｘ座標）と受光する時点とをより精度良く対応させることができる。その結果、第１ガイド部２１の位置情報をより精度良く取得することができるので、媒体Ｐの幅をより正確に検出することができる。
【０１２３】
また、第１実施形態では、上記のように、制御部１を、キャリッジ５を、媒体Ｐが検出されたことに基づいて、媒体の幅を検出するための移動を開始させるように構成する。これにより、媒体Ｐが第１トレイ１１に載置されていない状態で、キャリッジ５が移動されるのを抑制することができるので、不要なキャリッジ５の移動を抑制することができる。
【０１２４】
また、第１実施形態では、上記のように、画像形成装置１００に、媒体Ｐに印刷するための画像情報２０５ａと印刷される媒体Ｐの幅を指定する印刷幅指定情報２０５ｂを有する情報処理装置２００と通信する通信部２と、通信部２を介して、情報処理装置２００から画像情報２０５ａおよび印刷幅指定情報２０５ｂを受信するとともに、キャリッジ５が原点位置Ｇに位置する状態で媒体Ｐの有無を示す情報を情報処理装置２００に送信する制御部１とを設ける。これにより、キャリッジ５を移動させることなく、外部の情報処理装置２００に媒体Ｐの有無を示す情報を送信することができる。
【０１２５】
また、第１実施形態では、上記のように、制御部１を、情報処理装置２００から取得した印刷幅指定情報２０５ｂと検出された媒体Ｐの幅とが対応しない場合に、印刷幅指定情報２０５ｂを情報処理装置２００に送信するように構成する。これにより、情報処理装置２００によって印刷幅指定情報２０５ｂと載置された媒体Ｐの種類が異なることをユーザに報知させることにより、印刷幅指定情報２０５ｂと検出された媒体Ｐの幅とが対応していないことを、情報処理装置２００を介してユーザに報知することができる。
【０１２６】
また、第１実施形態では、上記のように、制御部１を、印刷幅指定情報２０５ｂと検出された媒体Ｐの幅とが対応する場合に、媒体Ｐに対する印刷を開始する制御を行うように構成する。これにより、印刷幅指定情報２０５ｂと検出された媒体Ｐの幅とが対応する状態で、媒体Ｐに対して印刷することができるので、指定した媒体Ｐの幅を有する媒体Ｐに、確実に印刷することができる。
【０１２７】
また、第１実施形態では、上記のように、制御部１を、検出された媒体Ｐの幅が、所定の範囲ごとに区分された複数の媒体幅群のうちのいずれの媒体幅群であるかを判別するように構成する。これにより、互いに近い幅を有する複数の媒体Ｐの種類を１つの媒体幅群に設定することができるので、印刷の際の媒体Ｐの大きさの自由度を向上させることができる。すなわち、判別された媒体幅群のうちの第１トレイ１１に載置される媒体Ｐの種類を予め設定しておくことにより、媒体幅群（互いに近い幅を有する複数の媒体Ｐの種類）のうちから第１トレイ１１に載置された媒体Ｐの種類を適切に取得することができる。
【０１２８】
また、第１実施形態では、上記のように、キャリッジ５に、移動方向に垂直な方向に延びるとともに、キャリッジ５と一体的に直線移動され、発光部３ａが取り付けられた取付部５２を設ける。これにより、キャリッジ５に発光部３ａを容易に取り付けることができる。
【０１２９】
また、第１実施形態では、上記のように、画像形成装置１００に、キャリッジ５の移動方向に見て、Ｌ字状の搬送経路Ｆ１上で媒体を搬送させる第１媒体搬送部６ａと、移動方向に見て、Ｕ字状の搬送経路Ｆ２上で媒体を搬送させる第２媒体搬送部６ｂとを備える。また、画像形成装置１００に、第１媒体搬送部６ａに媒体Ｐを供給する第１トレイ１１と、第２媒体搬送部６ｂに媒体Ｐを供給する第２トレイ１２とを設ける。そして、発光部３ａを、キャリッジ５に配置して、第１有無受光部３ｂを第１トレイ１１に配置して、第２有無受光部３ｃを第２トレイ１２に配置する。これにより、第１トレイ１１（Ｌパス用トレイ）および第２トレイ１２（Ｃパス用トレイ）の両方が設けられている画像形成装置１００においても、それぞれ、媒体Ｐの有無を検出することができる。
【０１３０】
［第２実施形態］
次に、図１６を参照して、第２実施形態の画像形成装置４００について説明する。この第２実施形態では、第１トレイ１１に１つの第１ガイド部２１が設けられていた、いわゆる片寄せ型の媒体トレイを備えた画像形成装置１００と異なり、第１トレイ４１１に一方側第１ガイド部４２１ａと他方側第１ガイド部４２１ｂとが設けられている。なお、上記第１実施形態と同一の構成については、同じ符号を付してその説明を省略する。また、第１トレイ４１１は、特許請求の範囲の「媒体載置部」の一例である。また、一方側第１ガイド部４２１ａと他方側第１ガイド部４２１ｂとは、特許請求の範囲の「ガイド部」の一例である。
【０１３１】
図１６に示すように、第２実施形態の画像形成装置４００には、第１トレイ４１１に一方側第１ガイド部４２１ａと他方側第１ガイド部４２１ｂとが設けられている。そして、一方側第１ガイド部４２１ａは、第１トレイ４１１の矢印Ｘ１方向側の部分に配置されており、他方側第１ガイド部４２１ｂは、第１トレイ４１１の矢印Ｘ２方向側の部分に配置されている。
【０１３２】
また、一方側第１ガイド部４２１ａと他方側第１ガイド部４２１ｂとは、それぞれ、移動機構部４２３により、Ｘ方向に移動可能に構成されている。そして、一方側第１ガイド部４２１ａと他方側第１ガイド部４２１ｂとは、互いにギア（図示せず）を介して接続されている。一方側第１ガイド部４２１ａと他方側第１ガイド部４２１ｂとは、一方側第１ガイド部４２１ａと他方側第１ガイド部４２１ｂとのうちの一方を矢印Ｇ１方向に移動させた場合、他方が反対方向の矢印Ｇ２方向に移動されるように構成されている。これにより、第１トレイ４１１に載置された媒体Ｐが第１トレイ４１１のＸ方向において中央部に位置される。すなわち、第２実施形態による画像形成装置４００の第１トレイ４１１は、センターピック型の画像形成装置のトレイとして構成されている。
【０１３３】
ここで、第２実施形態では、キャリッジ４０５の取付部５２に発光部４０３ａが配置されているとともに、一方側第１ガイド部４２１ａに第１幅受光部４０３ｄが配置されている。また、Ｘ軸に沿った方向において、第１トレイ４１１の一方側第１ガイド部４２１ａと他方側第１ガイド部４２１ｂとの間に第１有無受光部４０３ｂが配置されている。これにより、第２実施形態においても、キャリッジ４０５が原点位置Ｇに位置する状態で、発光部４０３ａから矢印Ｃ１１方向に光を照射することにより、媒体Ｐの有無を検出することができるとともに、キャリッジ４０５を直線移動させて（点線参照）、第１幅受光部４０３ｄの受光に基づいて、媒体Ｐの幅（媒体Ｐの種類）を検出することが可能となる。
【０１３４】
なお、第２実施形態のその他の構成は、上記第１実施形態と同様である。
【０１３５】
［第２実施形態の効果］
第２実施形態では、以下のような効果を得ることができる。
【０１３６】
第２実施形態では、上記のように、画像形成装置１００に、キャリッジ４０５の移動方向において、第１トレイ４１１の一方側に配置された一方側第１ガイド部４２１ａと他方側に配置された他方側第１ガイド部４２１ｂとを設ける。また、一方側第１ガイド部４２１ａおよび他方側第１ガイド部４２１ｂを、それぞれ、キャリッジ４０５の移動方向に移動可能に構成するとともに、一方側第１ガイド部４２１ａに、第１幅受光部４０３ｄを設ける。これにより、第１トレイ４１１に媒体Ｐが中央部に配置される構造（センター合わせ構造）を有する画像形成装置４００においても、キャリッジ４０５を移動させて媒体Ｐの幅を容易に検出することができる。
【０１３７】
なお、第２実施形態のその他の効果は、上記第１実施形態と同様である。
【０１３８】
［第３実施形態］
次に、図１７を参照して、第３実施形態の画像形成装置５００について説明する。この第３実施形態では、第１トレイ１１および第２トレイ１２の両方が設けられていた第１実施形態による画像形成装置１００と異なり、第１トレイ５１１のみが設けられている。なお、上記第１および第２実施形態と同一の構成については、同じ符号を付してその説明を省略する。
【０１３９】
図１７に示すように、第３実施形態による画像形成装置５００は、第１トレイ５１１およびキャリッジ５０５を備える。そして、キャリッジ５０５には、取付部材５５２が設けられている。そして、取付部材５５２には、発光部５０３ａが配置されている。そして、第１トレイ５１１には、第１有無受光部５０３ｂが配置されている。そして、発光部５０３ａは、矢印Ｘ１方向側から見て、発光部５０３ａの光量が最も多くなる方向（発光中心であり図５の０度参照）が第１有無受光部５０３ｂ（線Ｅ１１上）に向くように、取付部材５５２に取り付けられている。言い換えると、発光部５０３ａは、取付部材５５２に第１トレイ５１１に略平行に、ＸＹ平面に対して角度φ２を有するように配置されている。
【０１４０】
なお、第３実施形態のその他の構成は、上記第１実施形態と同様である。
【０１４１】
［第３実施形態の効果］
第３実施形態では、以下のような効果を得ることができる。
【０１４２】
第３実施形態では、上記のように、発光部５０３ａを、矢印Ｘ１方向側から見て、発光部５０３ａの光量が最も多くなる方向が第１有無受光部５０３ｂ（Ｅ１１線上）に向くように取付部材５５２に取り付ける。これにより、発光部５０３ａの光量を必要以上に大きくする必要がなくなるので、この分、発光部５０３ａの大型化を抑制することができる。
【０１４３】
なお、第３実施形態のその他の効果は、上記第１実施形態と同様である。
【０１４４】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１４５】
また、上記第１〜第３実施形態では、本発明の媒体として、用紙を用いた例を示したが、本発明はこれに限らない。本発明では、媒体として、カードを用いてもよいし、紙以外のシート状の媒体を用いてもよい。
【０１４６】
たとえば、上記第１〜第３実施形態では、画像形成装置を、インクジェット式のキャリッジを備える画像形成装置として構成する例を示したが、本発明はこれに限らない。たとえば、インクリボンを有するキャリッジを備える画像形成装置として構成してもよいし、熱により印字を行うキャリッジを備える画像形成装置として構成してもよい。
【０１４７】
また、上記第１〜第３実施形態では、キャリッジに発光部を設けて、第１トレイおよび第２トレイに受光部（第１有無受光部および第２有無受光部）を設ける例を示したが、本発明はこれに限らない。たとえば、キャリッジに受光部を設けて、第１トレイおよび第２トレイに発光部（第１有無発光部および第２有無発光部）を設けてもよい。
【０１４８】
また、上記第１〜第３実施形態では、キャリッジの原点位置を第１トレイおよび第２トレイの矢印Ｘ２方向側に配置する例を示したが、本発明はこれに限らない。すなわち、キャリッジの原点位置を第１トレイおよび第２トレイの矢印Ｘ１方向側に配置してもよい。
【０１４９】
また、上記第１〜第３実施形態では、発光部に発光ダイオードを用いる例を示したが、本発明はこれに限らない。すなわち、発光ダイオード以外により発光部を構成してもよい。たとえば、電球により発光部を構成してもよい。
【０１５０】
また、上記第１〜第３実施形態では、第１有無受光部、第２有無受光部、第１幅受光部、および、第２幅受光部に光を照射する発光部を１つの発光部として構成する例を示したが、本発明はこれに限らない。すなわち、画像形成装置の構成が複雑化することに問題がなければ、受光部の各々に対応する複数の発光部を画像形成装置に設けてもよい。
【０１５１】
また、上記第１〜第３実施形態では、情報処理装置から受信した画像情報に基づいて、媒体に印刷する例を示したが、本発明はこれに限らない。たとえば、画像形成装置の記憶部に記憶された画像情報に基づいて媒体に印刷を行うように構成してもよい。
【０１５２】
また、上記第１〜第３実施形態では、印刷幅指定情報と検出された媒体の幅（種類）とが対応しない場合に、情報処理装置の表示部に印刷幅指定情報と載置された媒体の種類が異なること（異常）を報知する画像（図１２参照）を表示させる例を示したが、本発明はこれに限らない。たとえば、画像形成装置および情報処理装置の両方に画像を表示させてもよいし、画像形成装置または情報処理装置のみに画像を表示させてもよい。
【０１５３】
また、上記第１〜第３実施形態では、発光部を、赤外光を照射するように構成する例を示したが、本発明はこれに限らない。たとえば、発光部を、可視光を照射するように構成してもよいし、紫外光を照射するように構成してもよい。
【０１５４】
また、上記第１〜第３実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１５５】
１  制御部（媒体有無検出部、媒体幅検出部）
２  通信部
３  センサ部（媒体有無検出部、媒体幅検出部）
３ａ、４０３ａ、５０３ａ  発光部
３ｂ、４０３ｂ  第１有無受光部（一方側受光部）
３ｃ  第２有無受光部（他方側受光部）
３ｄ、４０３ｄ  第１幅受光部
３ｅ  第２幅受光部
４ａ  位置情報（キャリッジの位置情報）
５、４０５、５０５  キャリッジ
５ａ  印刷部
６ａ  第１媒体搬送部（媒体搬送部）
６ｂ  第２媒体搬送部（媒体搬送部）
２１ｂ、２２ａ  筒状部（光規制部）
１００、４００、５００  画像形成装置
２００  情報処理装置
【図１】
2018176481.tif 000003
【図２】
2018176481.tif 000004
【図３】
2018176481.tif 000005
【図４】
2018176481.tif 000006
【図５】
2018176481.tif 000007
【図６】
2018176481.tif 000008
【図７】
2018176481.tif 000009
【図８】
2018176481.tif 000010
【図９】
2018176481.tif 000011
【図１０】
2018176481.tif 000012
【図１１】
2018176481.tif 000013
【図１２】
2018176481.tif 000014
【図１３】
2018176481.tif 000015
【図１４】
2018176481.tif 000016
【図１５】
2018176481.tif 000017
【図１６】
2018176481.tif 000018
【図１７】
2018176481.tif 000019